(57)【要約】      （修正有）【課題】内容物の入っていない空の状態でも、液体等の内容物が入った状態でも直立・斜立することができ、かつ、左右に揺れるのみならず回転することもできる斜立・回転可能なコップで、これにより飲料用などの用途にも使用可能なコップを提供する。【解決手段】コップの底部に、平面状又はわずかな曲面状の底面部と、該底面部の周囲の全周に形成されコップを斜立・回転させることのできるように下向きに傾斜した傾斜部とを設けた。また、前記傾斜部が、コップが空であるときも、コップ内に任意量の水を入れたときも、コップが斜立した状態での重心が、前記傾斜部が卓上に接触する接触面内、接触線内又は接触点内又は接触点の鉛直上方に常にあるように設計した。【選択図】図２
2004187957.tif 000002
【特許請求の範囲】
【請求項１】
胴部と底部とを有するコップであって、底部が平面状又はわずかな曲面状の底面部と、該底面部の周囲の全周に形成されコップを斜立・回転させることのできるように下向きに傾斜した傾斜部とからなることを特徴とする斜立・回転可能なコップ
【請求項２】
前記傾斜部が、コップが空であるときも、コップ内に任意量の液体を入れたときも、コップが斜立した状態での重心が、前記傾斜部が卓上に接触する接触面内、接触線若しくは接触点内又は接触線若しくは接触点の鉛直上方に常にあるように設計されたことを特徴とする請求項１に記載の斜立・回転可能なコップ
【請求項３】
前記傾斜部が、縦断面において中央部が僅かに膨出する凸面であることを特徴とする請求項１又は２に記載の斜立・回転可能なコップ
【発明の詳細な説明】
【０００１】
【発明が属する技術分野】
本発明は、動きのあるコップ、いわゆるスタントグラスに関し、特に、斜立して静止することができ、かつ、初速度を与えられると自転することも可能な斜立・回転可能なコップに関する。
【０００２】
【従来の技術】
従来、スタント（曲芸）グラスとしては、底部の形状を丸くすることで前後あるいは左右にユラユラと揺れるコップは存在していた。たとえば、起きあがりこぼしのダルマのように前後左右に揺れる動きをする、下ぶくれ形状をしたタンブラーや、また、前後あるいは左右の一方向にのみ揺れる動きをする、底部が船底のような形状をした容器などである。このように従来のスタントグラスは前後あるいは／および左右にユラユラと動くものしかなく、コップ本体が斜めに傾いたまま左右に揺れる上に回転するという動きをするものはなかった。加えて、前後あるいは／および左右の動きはするが、斜立して静止するものも存在しなかった。
【０００３】
また、特に、液体等を入れた状態でコップの揺れを楽しもうとする場合に、従来のものでは、揺らしているうちに容器本体の位置が徐々に移動してしまうため、液体がこぼれたり、不安定であった。さらに、従来のスタントグラスは、内容物を底の方に適量入れるとそれがある程度のおもりの役割を果たして一時直立させることはできるが、内容物のない空の状態では直立が非常に困難であった。したがって、観賞用としてコップ全体の形状に趣向を凝らした容器とされることが多く、飲料用等の実用的な用途に使用することは難しかった。すなわち、コップ全体の形状が、一般的な円筒状などのものがなく、また直立状態が不安定なため背の高いコップもこれまでになかった。
【０００４】
【発明が解決しようとする課題】
そこで、本発明は、コップの底部に傾斜部を設けることにより、内容物の入っていない空の状態でも、液体等の内容物が入った状態でも直立・斜立することができ、かつ、左右に揺れるのみならず回転することもできる斜立・回転可能なコップで、これにより飲料用などの用途にも使用可能なコップを提供するものである。
【０００５】
【課題を解決するための手段】
本発明は、胴部と底部とを有するコップであって、底部が平面状又はわずかな曲面状の底面部と、該底面部の周囲の全周に形成されコップを斜立・回転させることのできるように下向きに傾斜した傾斜部とからなることを特徴とする斜立・回転可能なコップである。また、本発明は、前記傾斜部が、コップが空であるときも、コップ内に任意量の水を入れたときも、コップが斜立した状態での重心が、前記傾斜部が卓上に接触する接触面内、接触線内又は接触点内又は接触点の鉛直上方に常にあるように設計されたことを特徴とする請求項１に記載の斜立・回転可能なコップである。また本発明は、前記傾斜部が、縦断面において中央部が僅かに膨出する凸面であることを特徴とする請求項１又は２に記載の斜立・回転可能なコップである。
【０００６】
当該底面部が卓上に接するように置くとコップを直立させることができ、また、当該傾斜部を卓上に接するように斜めに置くとコップを斜立させることができる。斜立させた状態でコップに触れて初速度を与えることにより、左右に揺らし、その上コップを自転させることもできる。
【０００７】
当該傾斜部の形状はコップの重心に基づいて設計される。すなわち、テーブルのように水平な台に置かれた物体がつりあいを保って静止するためには、物体の重心が、物体が台に接する面内の鉛直上方、物体が複数の線又は点で接するときはその複数の線又は点の間の鉛直上方、１つの線又は点で接する場合にはその線又は点の鉛直上方（以下、接触範囲の鉛直上方という）にあればよい。したがって斜立させたとき、傾斜部がテーブルに接する接触部分と重心の関係がこのようになるようにコップ全体の形状に基づいて傾斜部の長さ、斜度や曲率を設計する。このとき、コップいっぱいに液体が入った状態の重心も少量の液体が入った状態の重心も、すなわち任意量の液体が入ったときの重心、及び、空の状態における重心が、接触範囲の鉛直上方にくるように設計すると、液体が入っても倒れないで斜立して静止することになる。これに加えて、当該傾斜部を円錐面とすることで、斜立した状態のまま回転するものとなる。
【０００８】
傾斜部は、縦断面において直線状となるように、又は中央部が僅かにへこむような凹面に形成すると、斜立したときに安定する。また、縦断面において中央部が僅かに膨出する凸面に形成すると、斜立した状態で僅かに揺れるようになり、回転させると揺れながら複雑な動きをするようになり、スリルと面白みを楽しむことができる。傾斜部は完全な曲面である必要はなく、面取りを施して、平面の集合面としてもよい。その場合は、回転させたときにゴツゴツとした滑らかさを欠いた動きとなる。
【０００９】
底面部は平面上又は中央部が僅かにへこむような凹面に形成すると、直立させたときに安定する。また、僅かに中央部が膨出する凸面とすると、直立させたときに僅かに揺れるようになり、不安定な趣を楽しむことができる。
【００１０】
コップはガラス、プラスチック、陶器、磁器等どのような材質のものであっても良い。特に、ガラスの場合には、中に入っている液体が斜立・回転によりこぼれてしまわないかというスリリングのほかに、他の素材と異なり透明であるから内容物を外観できる利点があり、さらに、倒れて割れてしまわないかという緊張感もあるので、他の素材よりも楽しむことができる。
【００１１】
さらに、コップの成形は吹き成形でもプレス成形でも良く、従来の成形方法を用いることができる。当該傾斜部は、底面部のみを有する従来の形状のコップを作製した後に削り取って形成するものでも良く、金型等の型により最初から当該傾斜部を設けた形状に作製するものでも良い。加えて、コップの表面に印刷等を施すことによりゲーム性を持たせることにより、遊びの幅を広げることも可能である。
【００１２】
また、胴部は内容物を収容する部分を言うが、その形状は円筒状、下ぶくれ状、三角柱状、角柱状等どのような形状でも良い。要はコップの底部に、コップを斜立させることができ、かつ、回転させることのできる形状をした傾斜部を有していればよい。
【００１３】
【発明の実施の形態】
以下、本発明の実施の形態を図面に基づきながら説明する。図１は本発明の実施例の側面図および平面図である。本実施例のコップ１は胴部２と底部３から構成されている。また、本実施例のコップ１はガラス製で、胴部２は円筒形をした、一般的なコップの形状である。底部３は傾斜部４と底面部５とからなっている。底面部５は平面状をなし、平面形状は円形である。傾斜部４は底面部５の周囲の全周に形成され、コップを斜立・回転させることのできるように下向きに傾斜しており、縦断面において直線状をなすようなドーナツ状の滑らかな曲面となっている。
【００１４】
図２は本実施例のコップ１が斜立している状態である。図中のＷは実施例のコップ１に液体等の内容物が入っていないときの重心を示している。またＷ'は水面ａまで水が入った状態の重心を示し、Ｗ"は水面ｂまで水が入った状態の重心を示している。傾斜部４はテーブル７と線状に接し、その外端をＰ、内端をＰ'で示している。
【００１５】
実施例のコップ１がテーブル上で斜立するには、傾斜部４のテーブル７に接している線の鉛直上方（ＰとＰ’の間）に重心があれば、傾きながら静止することができるのであるから、図中の点Ｐおよび点Ｐ'を通りテーブルと鉛直に交わっている２本の点線の内側（Ｘ内）に重心があればよい。したがって、水がないときの重心Ｗ、斜立時水を入れたときの最高重心Ｗ'および斜立時水を入れたときの最低重心Ｗ"とがこの範囲内にくるようにコップの形状を設計することにより、空の場合も任意量の液体が入っている場合も斜立するコップになるから、これに基づいて傾斜部の斜度を計算した。本実施例は比較的背の高いコップであり、コップ全体の形状等から斜度（図１中のα）は約２０度とした。これにより、図のように液体をどの程度入れた状態の重心も上記の範囲内におさまり、斜立して静止するコップとすることができた。なお、外力により重心がＰを通る鉛直線を超えて左へ移動した場合にはコップは静止状態を維持できず倒れることになる。また、重心がＰ'を通る鉛直線を超えて右へ移動した場合には底面部５がテーブル７に接することになり、コップは直立状態になる。
【００１６】
底部３は肉厚になっているが、これはガラスの重量が傾斜時のバランスを取る役割を担っていることから、底部３が肉薄だとバランスが悪くなるため、背の高いコップにする場合には特に底部３は肉厚にするのが良い。
【００１７】
斜立した状態から、斜めに傾いたまま図中の矢印のように回転することも可能である。斜立している状態に初速度を与えることにより、コップ１がその場で自転する動きをする。すなわち、傾斜部４がテーブル７と接触する接触部は、Ｘ（接点Ｐおよび接点Ｐ'間）を幅とするドーナツ形状を軌道として移動し、これによりコップ１はこの軌道内を左右に揺れたり、回転したりする。
【００１８】
【発明の効果】
本発明は、直立・斜立・回転することができるコップであり、コップ胴部の形状に関係なく、液体等の内容物を入れた状態でも内容物をこぼすことなくそのように動くことができるため、スタントグラスとしてのみならず飲料用等の実用用途もかねながら揺れや回転を楽しむことができる。
【図面の簡単な説明】
【図１】実施例のコップ１の側面図および平面図である。
【図２】実施例のコップ１の斜立状態の説明図である。
【符号の説明】
１  コップ
２  胴部
３  底部
４  傾斜部
５  底面部
６  開口部
７  テーブル
【図１】
2004187957.tif 000003
【図２】
2004187957.tif 000004